(57)【要約】  【課題】椅子の背凭れの支持面形状の保形性を確保する。  【解決手段】左右両側に対をなすフレーム要素２１と、前記フレーム要素２１、２２間に架け渡され着座者の身体より受ける荷重を支持する可撓性を有する支持部材３と、前記支持部材３の撓みの度合いを相異なる複数の状態に遷移させることができかつ着座者の荷重に対してその状態を維持することができる調節機構とを具備する椅子の背凭れ１を構成した。  【選択図】図１２
2008161714.tif 000002
【特許請求の範囲】
【請求項１】
左右両側に対をなすフレーム要素と、
前記フレーム要素間に架け渡され着座者の身体より受ける荷重を支持する可撓性を有する支持部材と、
前記支持部材の撓みの度合いを相異なる複数の状態に遷移させることができかつ着座者の荷重に対してその状態を維持することができる調節機構と
を具備し、
前記調節機構は、前記支持部材の着座者の荷重を受けて撓み変形する部分の長さを変化させることにより該支持部材の撓みの度合いを変更するものである椅子の背凭れ。
【請求項２】
前記調節機構は、左右両側の少なくとも一方側に設けられており、
前記支持部材の一端側における相異なる複数の部位の何れかを、対応する側の前記フレーム要素に選択的に係留できるものである請求項１記載の椅子の背凭れ。
【請求項３】
前記調節機構は、前記フレーム要素を介して内方に回した前記支持部材の少なくとも一端側に作用して、左右両側のフレーム要素の前面間に架け渡される支持部材の部分の長さを変化させるものである請求項１記載の椅子の背凭れ。
【請求項４】
前記調節機構は、前記支持部材の撓みの度合いを変更するべく支持部材に対して操作を行うための操作部を有しており、
前記操作部を背面の側部に露出させている請求項１、２または３記載の椅子の背凭れ。
【請求項５】
前記支持部材を着座者の腰部に略対応する高さ位置に配置している請求項１、２、３または４記載の椅子の背凭れ。
【請求項６】
さらに、略袋状の張り部材を被せてなる請求項１、２、３、４または５記載の椅子の背凭れ。
【発明の詳細な説明】
【技術分野】
【０００１】
本発明は、椅子の背凭れに関する。
【背景技術】
【０００２】
左右両側に離間して配置されたフレーム間に弾性変形して伸縮するばね布等を架け渡して椅子の背凭れを構成することは、下記特許文献１に示されているように公知である。このような背凭れでは、着座した着座者による荷重が加わったときにばね布が伸張して該着座者の身体を支持する。また、ばね布の初期張力を変えることで、その座り心地をある程度調整することができる。
【特許文献１】特開平１０−１９２０８５号公報
【発明の開示】
【発明が解決しようとする課題】
【０００３】
しかしながら、上記例の如き背凭れでは、着座者がばね布に対して加える荷重の多寡に応じてその変形量が変化する。よって、ある理想的な位置に着座者の身体を支持し続けることは困難である。
【０００４】
その上、着座者の荷重が加わっていない状態、即ち着座者が椅子に着座していない状態では、ばね布が弾性力により両フレーム間で真っ直ぐ張った状態に戻ってしまう。つまりばね布は、着座者の身体を支持する支持面の三次元形状の保形には寄与し得ない。このことは、椅子の外観のデザインの観点から見て不都合である。
【課題を解決するための手段】
【０００５】
上述した課題を解決すべく、本発明では、左右両側に対をなすフレーム要素と、前記フレーム要素間に架け渡され着座者の身体より受ける荷重を支持する可撓性を有する支持部材と、前記支持部材の撓みの度合いを相異なる複数の状態に遷移させることができかつ着座者の荷重に対してその各状態を維持することができる調節機構とを具備する椅子の背凭れを構成した。
【０００６】
このようなものであれば、着座者による荷重の多寡によらず支持部材を所望の撓み形状に維持することができる。従って、着座者の身体を好ましい位置に支持し続けることが可能となる。のみならず、支持部材はばねである必要がなく、着座者が着座していない状態であってもその撓み形状を保ち続けることができる。これにより、着座者の身体を支持する支持面の形状の保形性が担保され、椅子の外観デザインの面でも有利となる。
【０００７】
前記調節機構の態様の一として、前記支持部材の一端側を対応する側の前記フレーム要素における相異なる複数の部位の何れかに選択的に係留することにより該支持部材の撓みの度合いを変更するものを挙げることができる。即ち、この態様の調節機構においては、支持部材の一端側をフレーム要素の何れの部位に係留するかによって支持部材の一端側と他端側との間の距離が変化し、支持部材の撓み量が増減する。
【０００８】
前記調節機構を、前記支持部材と前記フレーム要素とのうち一方に取り付けたピンと他方に形成した少なくとも一の係合孔との係合構造とし、前記係合孔に前記ピンを係合させる係合部位を変更できるものとすれば、複雑な機構を持ち込むことなく支持部材の撓み量を変更可能とできる。
【０００９】
前記係合孔を、前記支持部材が着座者の荷重を受けたときに前記ピンと係合してこれを係留する複数の係合縁部を有し、かつこれら係合縁部を互いに連通しているものとして、前記ピンを前記係合孔に沿って移動させる操作を行うことで該ピンをある係合縁部に係合させる状態から他の係合縁部に係合させる状態へと遷移させ得る構成とすれば、簡便な操作で支持部材の撓み量を増減させることが可能となる。
【００１０】
前記調節機構の他の態様としては、前記支持部材の着座者の荷重を受けて撓み変形する部分の長さを変化させることにより該支持部材の撓みの度合いを変更するものを挙げることができる。
【００１１】
より具体的には、前記支持部材の一端側における相異なる複数の部位の何れかを、対応する側の前記フレーム要素に選択的に係留し得るものとする。即ち、支持部材の一端側における何れの部位をフレーム要素に係留するかによって該係留部位と他端側との間の距離が変化し、これらの間に構成される撓み変形可能な部分の長さが変化して支持部材の撓み量が増減する。あるいは、前記調節機構を、前記フレーム要素を介して内方に回した前記支持部材の少なくとも一端側に作用して左右両側のフレーム要素の前面間に架け渡される支持部材の部分の長さを変化させるものとしてもよい。
【００１２】
また、前記調節機構が、前記支持部材の撓みの度合いを変更するべく支持部材に対して操作を行うための操作部を有しており、前記操作部を背面の側部に露出させているものであるならば、着座者が着座したままで操作部を操作して支持部材の撓み量を増減させ、自身の身体を支持する支持面を所望の形状に変形させることができる。
【００１３】
前記支持部材を着座者の腰部に略対応する高さ位置に配置しているならば、支持部材が着座者の腰部を支持することとなる。そして、着座者の任意に支持部材の撓み量を変化させ、所望の状態に腰部を支持させることが可能となる。
【００１４】
さらに、略袋状の張り部材を被せて前記フレーム要素及び前記支持部材を被覆することにより、フレーム要素、支持部材及び張り部材が好適な支持面を形成して着座者の身体を支持するものとなる。
【発明の効果】
【００１５】
以上に詳述した本発明によれば、椅子の背凭れの支持面形状の保形性が担保される。並びに、着座者の荷重の多寡によらず支持部材の撓みの度合いが維持されるため、着座者の身体を好ましい位置に支持し続けることが可能となる。
【発明を実施するための最良の形態】
【００１６】
以下、本発明の実施の形態を、図面を参照して説明する。図１ないし図３に示すものは、本発明の一実施形態に係る背凭れ１を適用した椅子であり、着座者の臀部を載置する座９０１と、着座者の背や腰を後方より支える背凭れ１と、座９０１及び背凭れ１を支持する脚支柱９０２とを具備する。
【００１７】
本実施形態の背凭れ１は、背凭れ１の外形を形作るフレーム２と、フレーム２に支持させた支持部材３と、支持部材３の前面に重ね合わせて設けた緩衝部材４と、これらフレーム２、支持部材３及び緩衝部材４を被覆して少なくとも前面側に着座者の身体を支持する支持面Ｓを構成する張り部材５とを主要な構成要素とする。
【００１８】
図４ないし図８は、張り部材５を取り除いた状態の背凭れ１を図示している。フレーム２は、上部フレーム２３、下部フレーム２４、左側フレーム２１１及び右側フレーム２２１が正面視中空の概略枠体形状をなす剛性を有する部材である。上部フレーム２３、下部フレーム２４、左側フレーム２１１、右側フレーム２２１はそれぞれ前後方向の厚みが比較的薄い板状体である。上部フレーム２３及び下部フレーム２４はその中間部位がやや後退するように湾曲しており、左側フレーム２１１及び右側フレーム２２１はその中間部位が前方に膨出するように湾曲している。左側フレーム２１１及び右側フレーム２２１の湾曲形状は、着座者の腰部の高さに略対応する位置で最も前方に張り出している。そして、その近傍に、互いに相寄る方向に延伸するプレート２１２、２２２を固定してある。
【００１９】
本実施形態において、上記の左側フレーム２１１及びこれに固定された左側プレート２１２が左側のフレーム要素２１に該当し、右側フレーム２２１及びこれに固定された右側プレート２２２が右側のフレーム要素２２に該当する。フレーム要素２１、２２は、支持部材３が着座者による荷重（の少なくとも一部）を適切に受けられるように、該支持部材３を支持する役割を担うものである。フレーム要素２１、２２の具体的態様は図示例に限定されず、例えば、一枚の板状のフレームの両側端部を中間部よりも前方に突出させるようにこれを屈曲または湾曲させて、両端部をフレーム要素として用いることもできる。そして、支持部材３及び緩衝部材４を、これら一対のフレーム要素２１、２２間に架け渡すように設けている。より具体的には、左右両側のプレート２１２、２２２の前面に支持部材３の両端部を配置し、さらにその前面に緩衝部材４を設けている。支持部材３及び緩衝部材４は、着座者の腰部に略対応する高さ位置に設けられて、着座者の身体より受ける荷重、特に腰部より受ける荷重を支持する役割を担う。
【００２０】
支持部材３は、可撓性を有する帯状の部材であり、例えば樹脂材料を用いて製造される。その一端側には、後方に突出するピン３１を取り付ける。図示例では、支持部材３の左側端部にピン３１を取り付けている。かつ、対応する側のフレーム要素２１に、前記ピン３１と係合する係合孔２１３を設ける。図示例では、左側のフレーム要素２１のプレート２１２に、係合孔２１３を形成している。また、支持部材３の他端側は、対応する側のフレーム要素２２に回転軸３２を介して取り付ける。即ち、支持部材３の右側端部を右側のフレーム要素２２のプレート２２２に前面より回転軸３２を介して取り付けている。支持部材３は、その右側端部に設けられた回転軸３２を中心に上下に揺動可能となる。
【００２１】
引き続き、ピン３１と係合孔２１３との係合構造について述べる。図９に示すように、ピン３１は、プレート２１２に形成された係合孔２１３を前方より貫通してこれに係合する例えば金属製の部材である。ピン３１は、係合孔２１３に挿通されその周縁と係わり合う軸部３１１と、軸部３１１の後端で径方向に拡張する鍔部３１２と、鍔部３１２の後面より後方に突出する把持部３１３とを有する。ピン３１を係合孔２１３に係合させたとき、鍔部３１２はプレート２１２の後面側に配され、プレート２１２の後面と係わり合ってピン３１が係合孔２１３より前方に脱出してしまうことを抑止する。図１０等に示すように、係合孔２１３は、前記回転軸３２と略同等の高さ位置にあって幅方向に延伸する長孔部２１４と、該長孔部２１４の下側に一体の貫通孔を構成するように穿たれた丸孔部２１５とを有する。但し、長孔の上側に丸孔部２１５を形成しても構わない。長孔部２１４の内方側縁２１４ａ及び丸孔部２１５の内方側縁２１５ａはそれぞれ、着座者による荷重が支持部材３に対して前方より加えられたときにピン３１の軸部３１１が係合し、該ピン３１さらには支持部材３をプレート２１２に係留する。
【００２２】
長孔部２１４の内方側縁２１４ａの位置は、丸孔部２１５の内方側縁２１５ａの位置と比較して十分に内方にある。従って、長孔部２１４の内方側縁２１４ａまたは丸孔部２１５の内方側縁２１５ａの何れかを選択してピン３１を係合させることで、支持部材３の撓みの度合いを変えることが可能である。即ち、長孔部２１４の内方側縁２１４ａにピン３１を係合させるようにした場合、支持部材３の一方側にあるピン３１と他方側にある回転軸３２との離間距離は比較的短くなる。その結果、支持部材３の中間部位が後方に比較的大きく撓む状態となる。翻って、丸孔部２１５の内方側縁２１５ａにピン３１を係合させるようにした場合、支持部材３の一方側にあるピン３１と他方側にある回転軸３２との離間距離は比較的長くなる。その結果、支持部材３の中間部位が後方に撓む量が比較的小さい状態となる。なお、この状態で、支持部材３の一方側の高さと他方側の高さとが略同位置にあるようにしている。
【００２３】
支持部材３の撓み量を切り替えるには、長孔部２１４内にあるピン３１を図６に示しているように丸孔部２１５内に移す操作を行うか、あるいは丸孔部２１５内にあるピン３１を図５に示しているように長孔部２１４内に移動させる操作を行う。この操作は、ピン３１を係合孔２１３に沿ってスライド移動させることによって行うことができる。因みに、係合孔２１３の長孔部２１４と丸孔部２１５との境界領域はピン３１の軸部３１１の幅寸法と同程度に幅狭としてあり、撓み量の切り替え操作を行うときに適度なクリック感を操作した者に感じさせるようにしている。
【００２４】
緩衝部材４は、図４に示すように、概略方形状をなしその前面側にクッション体４１１を敷設した基部４１と、基部４１の四隅部よりそれぞれ外側方に向けて延出する取付部４２とを有するものであり、着座者に柔らかな座り心地を与えるために機能する。緩衝部材４は、その取付部４２を左右両側のプレート２１２、２２２に支持させることで、フレーム要素２１、２２間に架け渡した状態に設けられる。緩衝部材４の取付部４２には、幅方向に延伸する長孔４２１を形成してある。各長孔４２１には、左右両側のプレート２１２、２２２の前面に取り付けられる（ボルトの如き）係止具２５を貫通させる。係止具２５の前部はちょうどボルトの頭のように拡径しており、取付部４２が前方に脱離してしまうことを抑止する。一方で、取付部４２は、（係止具２５が長孔に沿って相対的に変位できる限りにおいて）幅方向に移動可能となっている。このことから、緩衝部材４自体は、着座者の身体より受ける荷重で後方に撓み変形する。しかしながら、既に述べたように、該緩衝部材４の直後には支持部材３が存在しているため、緩衝部材４の撓み変形は支持部材３の撓み量の範囲に制限される。
【００２５】
上述のフレーム２、支持部材３及び緩衝部材４に略袋状の張り部材５を被せてこれらを被覆し、本実施形態の背凭れ１が完成する。張り部材５は、通常、フレーム２にぴったり被せられる程度の寸法に設定する。張り部材５は、弾性伸縮する素材で構成することが好ましい。背凭れ１の前面に張り設けた張り部材５は、フレーム２、支持部材３及び緩衝部材４によって後方よりバックアップされた支持面Ｓを構成し、着座者の身体を支持する。そして、緩衝部材４の撓み量に応じて、即ち支持部材３の撓み量に応じて相異なる形状の支持面Ｓを形作る。支持部材３の一端側に設けられたピン３１が対応する側のプレート２１２に形成された係合孔２１３の長孔部２１４内に存在している場合、着座者の荷重により図７に示すように支持部材３及び緩衝部材４の中間部位が比較的大きく撓んで後方にくぼみ、支持面Ｓが着座者の背や腰を包み込むような形状となる。ピン３１が長孔部２１４の内方側縁２１４ａに係合すると、着座者の荷重の多寡によらず支持部材３及び緩衝部材４はそれ以上撓み変形することはない。即ち、着座者の背や腰を包み込むような支持面Ｓ形状が維持される。ピン３１が係合孔２１３の丸孔部２１５内に存在している場合、着座者の荷重を受けても図８に示すように支持部材３及び緩衝部材４の中間部位は大きく撓まない。よって、左側フレーム２１１及び右側フレーム２２１の膨出形状に依存した、着座者の腰部に相対する部位が前方に張り出しているような支持面Ｓが形成される。この場合にも、ピン３１が丸孔部２１５の内方側縁２１５ａに係合すると、着座者の荷重の多寡によらず支持部材３及び緩衝部材４はそれ以上撓み変形しない。即ち、着座者の腰部に相対する部位が前方に張り出している支持面Ｓ形状が維持される。さらに、一旦形成された支持面Ｓ形状は、着座者が席を立った後も（ピン３１が操作されない限り）保たれる。
【００２６】
総じて言えば、支持部材３に設けられたピン３１とプレート２１２に形成された係合孔２１３との係合構造によって、支持部材３の撓み量を相異なる複数の状態に遷移させることができる調節機構が構成されている。該調節機構では、ピン３１をプレート２１２における相異なる複数の部位の何れかに選択的に係留することで、言い換えるならば長孔部２１４の内方側縁２１４ａまたは丸孔部２１５の内方側縁２１５ａの何れかに選択的に係合させることで、支持部材３の撓み量が相異なる二つの状態の何れかを選定し得るものとなっている。
【００２７】
なお、支持部材３の撓みの度合いを変更するために操作されるピン３１は、椅子の背凭れ１の背面における側部（図示例では、左側部）に露出させておくことが望ましい。本実施形態では、ピン３１及び係合孔２１３を露出させ得るように張り部材５の背面側の一部領域を開口させておく。しかして、張り部材５をフレーム２等に被せた後で、図２に示しているように、当該領域を被覆するキャップ６を取り付ける。キャップ６は、貫通する窓孔６１が穿たれた例えば樹脂製の部材であって、例えば左側プレート２１２の後面に対しボルト６２等を用いて固定する（プレート２１２には、予め該ボルト６２をねじ込むためのボルト孔２１６が形成されている）。キャップ６の窓孔６１は、ピン３１の係合孔２１３に沿った移動を妨げない形状に成形されている必要がある。図示例では、窓孔６１を係合孔２１３に相似する形状としている。
【００２８】
本実施形態によれば、左右両側に対をなすフレーム要素２１、２２と、前記フレーム要素２１、２２間に架け渡され着座者の身体より受ける荷重を支持する可撓性を有する支持部材３と、前記支持部材３の撓みの度合いを相異なる複数の状態に遷移させることができかつ着座者の荷重の多寡によらずその各状態を維持することができる調節機構とを具備する椅子の背凭れ１を構成したため、着座者の身体を支持する支持面Ｓの形状の保形性が担保される。並びに、着座者の身体を好ましい位置に支持し続けることが可能となる。
【００２９】
前記調節機構は、左右両側の少なくとも一方に設けられており、前記支持部材３の一端側を、対応する側の前記フレーム要素２１における相異なる複数の部位の何れかに選択的に係留することにより該支持部材３の撓みの度合いを変更するものとなっているため、支持部材３の一端側（特に、ピン３１）と他端側（特に、回転軸３２）との間の距離を変化させて支持部材３の撓み量を増減させることが可能である。
【００３０】
前記調節機構は、前記支持部材３に取り付けたピン３１と前記フレーム要素２１に形成した少なくとも一の係合孔２１３との係合構造であって、前記係合孔２１３に前記ピン３１を係合させる係合部位を変更できるものであるため、複雑な機構を持ち込むことなく支持部材３の撓み量を変更可能とできる。
【００３１】
前記係合孔２１３は、前記支持部材３が着座者の荷重を受けたときに前記ピン３１と係合してこれを係留する複数の係合縁部即ち長孔部２１４の内方側縁２１４ａと丸孔部２１５の内方側縁２１５ａとを有し、かつこれら係合縁部を互いに連通しているものであって、前記ピン３１を前記係合孔２１３に沿って移動させる操作を行うことで該ピン３１をある係合縁部に係合させる状態から他の係合縁部に係合させる状態へと遷移させ得る構成としたため、簡便な操作で支持部材３の撓み量を増減させることが可能となる。
【００３２】
また、前記調節機構が、前記支持部材３の撓みの度合いを変更するべく支持部材３に対して操作を行うための操作部たるピン３１の把持部３１３を有しており、前記把持部３１３を背面の側部に露出させているため、着座者が着座したままで把持部３１３を操作して支持部材３の撓み量を増減させ、自身の身体を支持する支持面Ｓを所望の形状に変形させることができる。
【００３３】
前記支持部材３を着座者の腰部に略対応する高さ位置に配置しているため、支持部材３が着座者の腰部を支持することとなる。そして、着座者の任意に支持部材３の撓み得る量を変化させ、所望の状態に腰部を支持させることが可能となる。
【００３４】
さらに、略袋状の張り部材５を被せて前記フレーム要素２１、２２及び前記支持部材３を被覆しており、フレーム要素２１、２２、支持部材３、緩衝部材４及び張り部材５が好適な支持面Ｓを形成して着座者の身体を支持するものとなっている。
【００３５】
なお、本発明は以上に詳述した実施形態に限られるものではない。特に、支持部材３の態様、並びに調節機構の態様は、上記実施形態におけるもの以外にも種々の変形が可能である。ここからは、支持部材３及び調節機構の具体的構成の変形例について列挙することとする。但し、フレーム２及び張り部材５については、上記実施形態におけるものと同様の構成とすることができるため、以降に述べる各変形例ではその説明及び図示を省略する。
【００３６】
まず、上記実施形態では、着座者による荷重を支持部材３が受けたときにピン３１が係合してこれを係留する係合縁部が二つ（長孔部２１４の内方側縁２１４ａ、丸孔部２１５の内方側縁２１５ａ）存在していたが、図１１に例示するように、係合縁部２１３ｘを三つ以上存在させても構わない。この場合、支持部材３の撓み量を三段階以上に調整できることとなる。加えて、同図１１に示しているように、支持部材３の右側端部に回転軸３２に替えてピン３１を取り付けて、同様の調節機構を左側のみならず右側にも設けることができる。即ち、背凭れ１の左右両側に調節機構を設けることを妨げない。調節機構を左右に設けることで、係留位置（または、係合位置）の組み合わせによって設定可能な撓み量のパターンが増す。
【００３７】
次に、上記実施形態では、支持部材３の一端側と他端側との離間距離を変化させることで支持部材３の撓み量を増減させていた。即ち、着座者の荷重を受けて後方に撓む部分の長さ自体は変化しなかった。それとは逆に、着座者の荷重を受けて後方に撓む部分の長さを変化させることで支持部材３の撓み量を増減させることも可能である。例えば、図１２に示す変形例では、支持部材３の一端側（図示例では、左側）にその幅方向に沿って複数の係合孔３３を穿つ一方、対応する側（左側）のフレーム要素２１におけるプレート２１２に前記複数の係合孔３３のうちの何れかを選択して係合させることができるピン２１７を設けておき、これら係合孔３３及びピン２１７による係合構造を構成するようにしている。支持部材３の他端側（右側）には幅方向に延伸する単一の長孔３４を形成しており、同じ側のプレート２２２には該長孔３４に係合するピン２２３を設けてある。着座者の荷重が支持部材３に加わると、支持部材３の中間部位が後方に撓み、他端側が内方に変位して長孔３４の外方側縁がピン２２３に係合する。そして、支持部材３の両側が、両プレート２１２、２２２に設けられたピン２１７、２２３に係留される状態となる。このとき、支持部材３における、左側プレート２１２に設けられたピン２１７に係留している部位から右側プレート２２２に設けられたピン２２３に係留している部位までの間の部分が後方に撓むこととなる。従って、左側プレート２１２に設けられたピン２１７に係合させる係合孔３３を変更することで、支持部材３の撓み量を増減させることが可能となる。因みに、本変形例を適用した場合の張り部材５は、図１３に示すように、複数の係合孔３３が形成された支持部材３の左側端部及び係合孔３３の何れかと係合する左側プレート２１２のピン２１７を露出させ得るようにその背面側の一部領域を開口させておくことが好ましい。上記変形例によれば、左右両側に対をなすフレーム要素２１、２２と、前記フレーム要素２１、２２間に架け渡され着座者の身体より受ける荷重を支持する可撓性を有する支持部材３と、前記支持部材３の撓みの度合いを相異なる複数の状態に遷移させることができかつ着座者の荷重に対してその状態を維持することができる調節機構とを具備する椅子の背凭れ１を構成でき、着座者の身体を支持する支持面Ｓの形状の保形性が担保される。並びに、着座者の身体を好ましい位置に支持し続けることが可能となる。変形例２の調節機構は、前記支持部材３の着座者の荷重を受けて撓み変形する部分の長さを変化させることにより該支持部材３の撓みの度合いを変更する。該調節機構は、左右両側の少なくとも一方側に設けられており、支持部材３の一端側における相異なる複数の部位の何れかを、対応する側の前記フレーム要素２１に選択的に係留できるものである。言い換えるならば、支持部材３の一端側に複数穿たれた係合孔３３の何れかを選択し、対応する側のフレーム要素２１におけるプレート２１２に設けられたピン２１７に係合させる係合構造である。また、複数の係合孔３３が穿たれた支持部材３の左側端部は、支持部材３の撓みの度合いを変更するために操作される操作部となる。この操作部を背凭れ１の背面の側部に露出させておくことで、着座者が着座したままで支持部材３の撓み量を増減させる操作を行うことが可能となる。
【００３８】
図１４に示す変形例は、係合孔３３とピン２１７とによる係合構造の替わりに、一方側のフレーム要素２１に支持部材３の一端側を固定するためのバックル２１８（留め具）を設けたものである。バックル２１８は、支持部材３を通すことができるとともに、その支持部材３の所要部位で脱離不能に係留できるものである。バックル２１８の構造には、既知のベルト用バックル等の構成を採用することが可能である。図示例では、左側のフレーム要素２１におけるプレート２１２にバックル２１８を取り付けるものとし、該バックル２１８を用いて支持部材３の左側端部の所要部位を保持可能としている。因みに、本変形例を適用した場合の張り部材５は、先に図１３で示した変形例と同様、支持部材３の左側端部及びこれを所要の位置で保持するバックル２１８を露出させ得るようにその背面側の一部領域を開口させておくことが好ましい。上記変形例によれば、左右両側に対をなすフレーム要素２１、２２と、前記フレーム要素２１、２２間に架け渡され着座者の身体より受ける荷重を支持する可撓性を有する支持部材３と、前記支持部材３の撓みの度合いを相異なる複数の状態に遷移させることができかつ着座者の荷重に対してその状態を維持することができる調節機構とを具備する椅子の背凭れ１を構成でき、着座者の身体を支持する支持面Ｓの形状の保形性が担保される。並びに、着座者の身体を好ましい位置に支持し続けることが可能となる。変形例３の調節機構は、前記支持部材３の着座者の荷重を受けて撓み変形する部分の長さを変化させることにより該支持部材３の撓みの度合いを変更する。該調節機構は、左右両側の少なくとも一方側に設けられており、支持部材３の一端側における相異なる複数の部位の何れかを、対応する側の前記フレーム要素２１に選択的に係留できるものである。言い換えるならば、支持部材３の一端側の所要部位を保持してその変位を抑止するバックル２１８である。また、支持部材３の左側端部及びバックル２１８は、支持部材３の撓みの度合いを変更するために操作される操作部となる。この操作部を背凭れ１の背面の側部に露出させておくことで、着座者が着座したままで支持部材３の撓み量を増減させる操作を行うことが可能となる。
【００３９】
図１５及び図１６に示す本変形例において、支持部材３の一端は対応する側のフレーム要素２１の外側面を巻き回した上で背凭れ１の背面側に位置づける。該支持部材３の一端部には、両端が支持部材３に取り付けられて環状体を構成するワイヤ３５を設けておく。支持部材３の他端は、対応する側のフレーム要素２２に固定しておく。かつ、一方側のフレーム要素２１におけるプレートの後面に偏心プーリ７１を回転軸７２を介して回転可能に取り付けて、該偏心プーリ７１に前記ワイヤ３５を巻き掛ける。この結果、支持部材３の両端がフレーム要素２１、２２に支持された状態となり、左側フレーム２１１の前面と右側フレーム２２１の前面との間に架け渡されている前側部分が着座者による荷重を受けて後方に撓むこととなる。しかして、回転軸７２の軸心を偏心プーリ７１の中心より偏心させた構成としている。従って、偏心プーリ７１を回転軸７２回りに回転させることで、偏心プーリ７１とワイヤ３５とが係合する位置が変化する。即ち、ワイヤ３５が内方に比較的大きく引っ張られる図１６の状態では、支持部材３のより多くの部分が背凭れ１の背面側に巻き込まれる。よって、左側フレーム２１１の前面と右側フレーム２２１の前面との間に架け渡される支持部材３の部分が比較的短くなり、着座者の荷重を受けて撓み変形する支持部材３の撓み量が比較的小さくなる。逆に、ワイヤ３５が内方に大きく引っ張られていない図１５の状態では、支持部材３のより多くの部分が背凭れ１の前面側に巻き込まれる。よって、左側フレーム２１１の前面と右側フレーム２２１の前面との間に架け渡される支持部材３の部分が比較的長くなり、着座者の荷重を受けて撓み変形する支持部材３の撓み量が比較的大きくなる。本変形例では、背凭れ１の背面側に配された偏心プーリ７１及び該偏心プーリ７１に巻き掛けたワイヤ３５が調節機構を構成する。該調節機構は、フレーム要素２１を介して内方に回した支持部材３の少なくとも一端側に作用して左右両側のフレーム要素２１、２２の前面間に架け渡される支持部材３の部分の長さを変化させるものである。また、偏心プーリ７１または該偏心プーリ７１を回転駆動する操作部材（図示しない）が操作部に該当する。この操作部は、他の変形例と同様、背凭れ１の背面側に露出させておくことが望ましい。
【００４０】
最後に、図１７ないし図２０に示す変形例では、可撓性を有する帯状の支持部材３を両フレーム要素２１、２２を包むように巻き回しており、その両端縁を背凭れ１の背面側でスライドファスナー８を介して接合するようにしている。スライドファスナー８を閉じている状態で、支持部材３は筒状をなす。さらに、その内面側において、支持部材３の一端側と他端側とにそれぞれ接合させた補支持部材３６を設けている。この補支持部材３６は、スライドファスナー８を開いて支持部材３の一端側と他端側とを離間させる際に展開される、いわば延び代の役割を担う。上記の変形例４と同様に、支持部材３における、左側フレーム２１１の前面と右側フレーム２２１の前面との間に架け渡されている前側部分が着座者による荷重を受けて後方に撓むこととなる。スライドファスナー８を閉じた図１７及び図１８の状態では、支持部材３の一端側と他端側とが接合して、支持部材３のより多くの部分が背凭れ１の背面側に巻き込まれる。よって、左側フレーム２１１の前面と右側フレーム２２１の前面との間に架け渡される支持部材３の部分が比較的短くなり、着座者の荷重を受けて撓み変形する支持部材３の撓み量が比較的小さくなる。逆に、スライドファスナー８を開いた図１９及び図２０の状態では、補支持部材３６を展開させながら支持部材３の一端側と他端側とが離間して、支持部材３のより多くの部分が背凭れ１の前面側に巻き込まれる。よって、左側フレーム２１１の前面と右側フレーム２２１の前面との間に架け渡される支持部材３の部分が比較的長くなり、着座者の荷重を受けて撓み変形する支持部材３の撓み量が比較的大きくなる。本変形例では、背凭れ１の背面側に配されたスライドファスナー８が調節機構を構成する。該調節機構は、フレーム要素２１、２２を介して内方に回した支持部材３の両端側に作用して左右両側のフレーム要素２１、２２の前面間に架け渡される支持部材３の部分の長さを変化させるものである。また、スライドファスナー８のスライダ８１が操作部に該当する。この操作部は、他の変形例と同様、背凭れ１の背面側に露出させておくことが望ましい。但し、支持部材３自体が支持面Ｓを構成する張り部材としての役割をも担うものであっても構わない。
【００４１】
その他各部の具体的構成は上記実施形態に限られるものではなく、本発明の趣旨を逸脱しない範囲で種々変形が可能である。
【図面の簡単な説明】
【００４２】
【図１】本発明の一実施形態に係る背凭れを具備する椅子を示す正面図。
【図２】同背面図。
【図３】同左側面図。
【図４】フレーム要素及び支持部材を示す正面図。
【図５】フレーム要素及び支持部材を示す要部背面図。
【図６】同要部背面図。
【図７】フレーム要素及び支持部材を示す左側面図。
【図８】同左側面図。
【図９】係合孔とピンとの係合構造を示す要部水平断面図。
【図１０】係合孔とピンとの係合構造を示す要部背面図。
【図１１】本発明の変形例の一を示す要部背面図。
【図１２】本発明の変形例の一を示す要部背面図。
【図１３】同要部背面図。
【図１４】本発明の変形例の一を示す要部背面図。
【図１５】本発明の変形例の一を示す要部背面図。
【図１６】同要部背面図。
【図１７】本発明の変形例の一を示す要部背面図。
【図１８】同要部水平断面図。
【図１９】同要部背面図。
【図２０】同要部水平断面図。
【符号の説明】
【００４３】
１…背凭れ
２１、２２…フレーム要素
２１３…係合孔
２１４ａ、２１５ａ…係合縁部
３…支持部材
３１…ピン
５…張り部材
【図１】
2008161714.tif 000003
【図２】
2008161714.tif 000004
【図３】
2008161714.tif 000005
【図４】
2008161714.tif 000006
【図５】
2008161714.tif 000007
【図６】
2008161714.tif 000008
【図７】
2008161714.tif 000009
【図８】
2008161714.tif 000010
【図９】
2008161714.tif 000011
【図１０】
2008161714.tif 000012
【図１１】
2008161714.tif 000013
【図１２】
2008161714.tif 000014
【図１３】
2008161714.tif 000015
【図１４】
2008161714.tif 000016
【図１５】
2008161714.tif 000017
【図１６】
2008161714.tif 000018
【図１７】
2008161714.tif 000019
【図１８】
2008161714.tif 000020
【図１９】
2008161714.tif 000021
【図２０】
2008161714.tif 000022